(57)【要約】      （修正有）【課題】ベッド生活者が使用する身の回りの小物を手の届く範囲に置いておくことを可能にするベッド用小物入れの提供。【解決手段】小物入れ１を構成する本体部３は、正面壁部、背面壁部、左側壁部、右側壁部、蓋部及び底面部で構成され、内部に小物を収納するためのスペースが形成されている。左側壁部及び右側壁部は、背面壁部側を中心に回動可能であり、また、本体部３に対して着脱自在である。蓋部は、背面壁部側を中心に回動可能である。蓋部を開けたときに蓋部を一時的に固定するための面ファスナー５２Ａが蓋部に、また、面ファスナー５２Ａに係合する面ファスナー５２Ｂが本体部３側にそれぞれ取り付けられている。【選択図】図３
0003115991.tif 000002
【実用新案登録請求の範囲】
【請求項１】
側面部及び底面部を有し、当該側面部及び当該底面部により収納スペースが形成される本体部と、
ベッドに横臥状態の使用者が使用可能なように前記本体部を当該ベッドに取り付けるための取付部と、
を含み、前記本体部が有する前記側面部の少なくとも一部が開放可能であることを特徴とするベッド用小物入れ。
【請求項２】
前記本体部の開放可能な前記側面部の一部を開放したときに収納スペース内に収納されている小物がすべり出ることを防止するストッパ部を更に含むことを特徴とする請求項１に記載のベッド用小物入れ。
【請求項３】
前記ストッパ部は、前記底面部に設けられ、当該底面部から上方に延びる帯状部材であることを特徴とする請求項２に記載のベッド用小物入れ。
【請求項４】
前記本体部の開放可能な前記側面部の一部は、当該本体部に対して取り外し可能に当該本体部に接続されていることを特徴とする請求項１又は２に記載のベッド用小物入れ。
【請求項５】
前記本体部は、取り付けられるベッドの長手方向に沿って延びる略直方体形状であると共に、当該略直方体形状の両端部の各々が開放可能であることを特徴とする請求項１又は２に記載のベッド用小物入れ。
【請求項６】
略ボックス状の収納スペースを形成するための底面部及び複数の側面部を有する本体部と、
前記本体部をベッドの柵に取り付けるための取付部と、
を含み、前記本体部が有する複数の前記側面部の少なくとも一つが開放可能であることを特徴とするベッド用小物入れ。
【請求項７】
前記本体部に形成される略ボックス状の収納スペースの上方を覆うための開閉可能な蓋部を更に含むことを特徴とする請求項６に記載のベッド用小物入れ。
【請求項８】
前記本体部に回動可能に設けられ、略ボックス状の収納スペースの上方を開閉するための蓋部と、
略ボックス状の収納スペースの上方が開放されるように前記本体部に対して回動した前記蓋部を開放状態に保持する保持手段と、
を更に含むことを特徴とする請求項６に記載のベッド用小物入れ。
【請求項９】
前記保持手段は、前記蓋部及び前記本体部の各々に設けられた、互いに係合可能な面ファスナーであることを特徴とする請求項８に記載のベッド用小物入れ。
【請求項１０】
前記本体部を構成する前記複数の側面部の各々は、自身で姿勢が保持可能であることを特徴とする請求項６〜８のいずれか１項に記載のベッド用小物入れ。
【考案の詳細な説明】
【技術分野】
【０００１】
本考案は、ベッドに取り付けて使用されるベッド用小物入れに関するものである。
【背景技術】
【０００２】
従来、長期にわたってベッド生活を余儀なくされているベッド生活者が、身の回りの物、例えば眼鏡やティッシュ等を自分の手の届く所に置けるようにする各種の小物入れが提案されている。そのようなベッド用小物入れは、例えば、登録実用新案第３０４５１０７号公報（第６〜７頁、図２）に開示されている。
かかる公報に開示されているベッド用小物入れは、ベッドの手摺りを跨ぐように取り付けて用いるものであり、表面側の両端部に小物を収納可能なポケット部を備えた構造である。このベッド用小物入れを手摺りに取り付けると、手摺りからベッド内で垂れ下がる部分と、ベッドの外で垂れ下がる部分とに分けられる。したがって、ベッド内で垂れ下がる部分のポケット部には、入院看者が自分の持ち物を入れ、ベッドの外で垂れ下がる部分のポケット部には、病院側の人間が病院側の物を入れることができる。このような構造により、入院看者の持ち物と病院側の物とを別々に収納可能になり、しかも看者が持ち物を取り出し易くなる。
【考案の開示】
【考案が解決しようとする課題】
【０００３】
しかしながら、従来のベッド用小物入れは、ポケット部に収納する構造であることから、ベッド生活者が所有する小物を十分に収納するスペースを確保できないおそれがある。すなわち、従来のベッド用小物入れでは、嵩張った物を収納することができず、ベッド生活者の要望を十分に満足することは難しい。
また、病院に入院する看者だけがベッド生活者ではなく、自宅で生活する者や、各種施設で生活する者もいる。そのような場合には、入院看者の持ち物と病院側の物とを別々に収納可能な構造は必ずしも必要ではない。
【０００４】
本考案は、以上のような技術的課題を解決するためになされたものであり、その目的とするところは、ベッド生活者が使用する身の回りの小物を手の届く範囲に置いておくことを可能にすることにある。
【課題を解決するための手段】
【０００５】
かかる目的のもと、本考案が適用されるベッド用小物入れは、側面部及び底面部を有し、側面部及び底面部により収納スペースが形成される本体部と、ベッドに横臥状態の使用者が使用可能なように本体部をベッドに取り付けるための取付部と、を含み、本体部が有する側面部の少なくとも一部が開放可能であることを特徴とするものである。
本体部の開放可能な側面部の一部を開放したときに収納スペース内に収納されている小物がすべり出ることを防止するストッパ部を更に含むことを特徴とすることができる。このストッパ部は、底面部に設けられ、底面部から上方に延びる帯状部材であることを特徴とすることができる。
本体部の開放可能な側面部の一部は、本体部に対して取り外し可能に本体部に接続されていることを特徴とすることができる。また、本体部は、取り付けられるベッドの長手方向に沿って延びる略直方体形状であると共に、略直方体形状の両端部の各々が開放可能であることを特徴とすることができる。
【０００６】
他の観点から捉えると、本考案が適用されるベッド用小物入れは、略ボックス状の収納スペースを形成するための底面部及び複数の側面部を有する本体部と、本体部をベッドの柵に取り付けるための取付部と、を含み、本体部が有する複数の側面部の少なくとも一つが開放可能であることを特徴とするものである。
本体部に形成される略ボックス状の収納スペースの上方を覆うための開閉可能な蓋部を更に含むことを特徴とすることができる。また、本体部に回動可能に設けられ、略ボックス状の収納スペースの上方を開閉するための蓋部と、略ボックス状の収納スペースの上方が開放されるように本体部に対して回動した蓋部を開放状態に保持する保持手段と、を更に含むことを特徴とすることができる。この保持手段は、蓋部及び本体部の各々に設けられた、互いに係合可能な面ファスナーであることを特徴とすることができる。
また、本体部を構成する複数の側面部の各々は、自身で姿勢が保持可能であることを特徴とすることができる。
【考案の効果】
【０００７】
本考案によれば、ベッド生活者が使用する身の回りの小物を手の届く範囲に置いておくことが可能になる。
【考案を実施するための最良の形態】
【０００８】
以下、添付図面を参照して、本考案の実施の形態について詳細に説明する。
図１及び図２は、本実施の形態に係るベッド用小物入れ（以下、小物入れという）１をベッド６に取り付けた状態を示す概略斜視図である。すなわち、図１は、小物入れ１を正面側から見た状態を示し、図２は、小物入れ１を背面側から見た状態を示している。
図１及び図２に示すように、小物入れ１は、ベッド６の周縁部に設置された柵（サイドガード）６１に取り付けられて用いられる。ベッド６の柵６１は、ベッド６の平面視長手方向に沿って設置され、パイプ材で構成されている。この柵６１は、主に転落防止ないしは手摺りとしての機能を果たすものである。
【０００９】
小物入れ１は、柵取付部（取付部）２と本体部３とを一体に備えている。柵取付部２は、ベッド６の柵６１を上から覆う部材２１を有し、この部材２１には、一対からなるホック釦２２，２３が６箇所に配設されている。具体的には、上側に３つのホック釦２２が一列に配置され、下側に３つのホック釦２３が一列に配置されている。ベッド６の柵６１への取り付けは、柵取付部２の部材２１をベッド６の柵６１を上から覆った後に、６つのホック釦２２，２３によって、対向する部材２１同士を着脱自在に係合させることで、行われる。このようにして、小物入れ１をベッド６に対して安定して取り付けることができる。
そして、柵６１に取り付けられた小物入れ１は、ベッド６のマット６２に載置された状態になる。当然ながら、柵６１に取り付けられた小物入れ１がマット６２に載置されずにマット６２から浮いた状態にして用いることも考えられる。
このように取り付けられた小物入れ１は、ベッド６の内側に取り付けられるので、後述するように、横臥状態の使用者は、小物入れ１に収納されている小物を容易に取り出すことができる。
【００１０】
図３は、小物入れ１を単体で示す斜視図である。図３に示すように、小物入れ１の一部を構成する本体部３は、略直方体であり、小物を収納するためのボックス状の収納スペースが内部に設けられている。すなわち、本体部３は、正面壁部３１と、正面壁部３１に対向する背面壁部３２と、正面壁部３１と背面壁部３２とを互いに結ぶ左側壁部３３及び右側壁部３４と、蓋部３５と、底面部３６という六面で構成されている。このため、小物入れ１の内部に収納されている小物を外部から見えないように隠すことができる。
【００１１】
ここで、正面壁部３１、背面壁部３２、左側壁部３３及び右側壁部３４により本体部３の側面部が構成されているということができる。また、本体部３を、蓋部３５を除く他の部材、すなわち、正面壁部３１、背面壁部３２、左側壁部３３、右側壁部３４及び底面部３６で構成することも考えられる。
また、左側壁部３３及び右側壁部３４を、長手方向である略直方体形状の両端部に相当するものであるということができる。また、本体部３は、略直方体の六面体であるが、他の立体形状にすることも考えられる。また、本体部３の収納スペースは、ボックス状であるが、ボックス状以外の形状にすることも考えられる。
【００１２】
本体部３の蓋部３５は、正面壁部３１に重なり合う合わせ部分３５ａを有する。また、左側壁部３３も、正面壁部３１に重なり合う合わせ部分３３ａを有する。また、右側壁部３４も、正面壁部３１に重なり合う合わせ部分３４ａを有する。
なお、後述するように、本体部３の左側壁部３３、右側壁部３４および蓋部３５は、柵取付部２側を中心に開閉可能に構成されている。また、後述するように、本体部３の正面壁部３１は、底面部３６側を中心に開閉可能に構成されている。
【００１３】
本体部３の正面壁部３１には、例えばポケットカレンダー等を収納するためのビニールポケット４１が設けられている。このビニールポケット４１の開口部は上側に位置し、その開口部にはファスナー（スライドファスナー、滑り式留金具）４２が設けられている。
本体部の蓋部３５には、２つのビニールポケット４３，４４が設けられている。２つのビニールポケット４３，４４は、いずれも透明部材からなる。また、取り出しが容易なように、２つのビニールポケット４３，４４のいずれにも切欠部４３ａ，４４ａが形成されている。なお、２つのビニールポケット４３，４４には、ビニールポケット４１のようなファスナーが設けられていない。
【００１４】
蓋部３５の合わせ部分３５ａの裏面側には、面ファスナー５１Ａが１個所設けられている。この面ファスナー５１Ａは、合わせ部分３５ａにおける長手方向略中央に位置している。正面壁部３１の表面側には、合わせ部分３５ａの面ファスナー５１Ａの位置に対応した位置に面ファスナー５１Ｂが設けられている。このため、本体部３の蓋部３５は不用意に開くことがなく、使用者のプライバシーを確保することができる。
面ファスナー５１Ａ，５１Ｂについて付言すると、面ファスナー５１Ａ，５１Ｂは、ループ側部材とフック側部材とからなるものである。例えば蓋部３５の合わせ部分３５ａに面ファスナー５１Ａとしてループ側部材が設けられる場合には、正面壁部３１には、面ファスナー５１Ｂとしてフック側部材が設けられる。また、蓋部３５の合わせ部分３５ａに面ファスナー５１Ａとしてフック側部材が設けられる場合には、正面壁部３１には、面ファスナー５１Ｂとしてループ側部材が設けられる。
【００１５】
蓋部３５の表面側に面ファスナー５２Ａが１個所に設けられている。この面ファスナー５２Ａは、蓋部３５の長手方向略中央に位置している。また、小物入れ１の柵取付部２にも、蓋部３５の面ファスナー５２Ａの位置に対応した位置に面ファスナー５２Ｂが設けられている。
また、左側壁部３３の合わせ部分３３ａの裏面側及び右側壁部３４の合わせ部分３４ａの裏面側には、全体にわたって面ファスナー５３Ａ，５４Ａが設けられている。そして、正面壁部３１の表面側には、これら面ファスナー５３Ａ，５４Ａの位置に対応して面ファスナー５３Ｂ，５４Ｂが設けられている。なお、本実施の形態では全体にわたって設けた面ファスナー５３Ａ，５３Ｂ，５４Ａ，５４Ｂを、部分的に設けることも考えられる。
【００１６】
図４は、小物入れ１の蓋部３５が開放された状態を示す斜視図である。図４に示すように、蓋部３５の合わせ部分３５ａの面ファスナー５１Ａと正面壁部３１の面ファスナー５１Ｂとの係合を解除して蓋部３５を上方に開けると、蓋部３５の表面側の面ファスナー５２Ａを柵取付部２の面ファスナー５２Ｂに係合させることができる。これにより、使用者が蓋部３５から手を離しても蓋部３５の開放状態が維持される。この意味において、これら面ファスナー５２Ａ，５２Ｂを、蓋部３５を開放状態に保持する保持手段ということができる。
【００１７】
図５は、小物入れ１における左側壁部３３及び右側壁部３４の開閉状態を説明するための平面図である。図５に示すように、左側壁部３３及び右側壁部３４のいずれも、それぞれ単独で開閉する。すなわち、左側壁部３３の合わせ部分３３ａの面ファスナー５３Ａと正面壁部３１の面ファスナー５３Ｂとの係合を解除することで、左側壁部３３を開けることができる。そして、左側壁部３３は、柵取付部２側を中心に開閉する。同様に、右側壁部３４の合わせ部分３４ａの面ファスナー５４Ａと正面壁部３１の面ファスナー５４Ｂとの係合を解除すると、柵取付部２側を中心に右側壁部３４を開けることができる。このように、小物入れ１の両側面がオープン可能に構成されている。
【００１８】
ここで、小物入れ１を、図１に示すベッド６に対する位置（ベッド６に向かって枕６３の位置が左側になる場合の奥側の位置）に設置した場合について説明する。このような配置では、小物入れ１の左側壁部３３を開けると、枕６３（図１参照）が配置される側が開放される。このため、枕６３（図１参照）に頭部を乗せている図示しない使用者は、小物入れ１の内部の収納スペースにアクセスすることができる。すなわち、使用者が身を起こさずに横臥状態のままでも、左側壁部３３を開けたことにより形成された開口部を通じて手を入れることができ、片手で出し入れが容易に行える。言い換えると、使用者は、腕を上げなくても、小物入れに向かってマット６２に手を沿わせることにより、小物入れ１に収納されている小物を片手に取ったり、小物を小物入れ１に収容したりすることができる。
なお、収納スペースは、手のひらが入る程度の大きさであり、使用者は、収納スペース内を視認して収納されている小物を確認しなくても、手探り状態で探し出すことができる。
【００１９】
ここで、ベッド６に向かって枕６３（図１参照）の位置が左側になる場合の奥側に小物入れ１を設置した場合について説明したが、本実施の形態における小物入れ１を用いれば、ベッド６に向かって枕６３（図１参照）の位置が右側になる場合の奥側の位置に小物入れ１を設置する場合にも対応することができる。すなわち、本体部３の左側壁部３３ではなく、本体部３の右側壁部３４を開放することにより、同様の作用を奏するものである。言い換えると、ベッド６（図１参照）の設置場所や使用者の利き腕等の事情を考慮して適切な場所に小物入れ１を設置することができる。
このように、本実施の形態の小物入れ１は、正面視左右方向に関して方向性がなく、その設置位置に関係なく対応することができる。
【００２０】
図６は、小物入れ１の背面側から見た概略斜視図である。図６に示すように、右側壁部３４は、３つのホック釦５５を介して本体部３に取り付けられている。この３つのホック釦５５は、柵取付部２側に取り付けられている。右側壁部３４は、３つのホック釦５５を外すことで本体部３から容易に取り外すことができる。このため、例えば使用者が、面ファスナー５４Ａ，５４Ｂに起因して右側壁部３４の開閉を行うのが困難な場合には、右側壁部３４を本体部３から予め取り外しておくことで、使用者が小物入れ１に対する小物の出し入れを円滑に行うことができるようになる。右側壁部３４の反対側に位置する左側壁部３３（図４参照）を本体部３に取り付けておくことで、小物入れ１に収納されている小物が左側壁部３３の側から飛び出ないようにすることができる。
なお、上述したように、本実施の形態の小物入れ１は正面視左右方向に関して方向性がない構造のため、図６に示す場合と逆の場合、すなわち、左側壁部３３（図４参照）を取り外しておく使用形態も当然ながら考えられる。
【００２１】
また、図６に示すように、本体部３には、ストッパ部（帯状部材）３７が形成されている。このストッパ部３７は、右側壁部３４側に設けられていると共に、左側壁部３３（図４参照）側にも設けられている。すなわち、本体部３の両側面にそれぞれストッパ部３７が設けられている。付言すると、ストッパ部３７は、底面部３６から立設し、左側壁部３３及び右側壁部３４の各々に重なり合うように形成されている。このストッパ部３７は、正面壁部３１と背面壁部３２とを所定の高さをもってつないで形成されている。
このようなストッパ部３７を設けることにより、左側壁部３３又は右側壁部３４を開放したときに、小物入れ１に収納されている小物がすべり出てしまうことを防止することができる。
【００２２】
また、柵取付部２の、本体部３とは反対側の面には、２つのポケット部４５，４６を有する。これら２つのポケット部４５，４６は、本体部３の長手方向略中央から片方に寄った位置で区切られており、これによって、大きさが互いに異なる２つのポケット部４５，４６が形成されている。この２つのポケット部４５，４６は、ベッド６（図１又は図２参照）の外側に面している。
【００２３】
図７は、小物入れ１の本体部３を展開した状態を示す概略斜視図である。図７に示すように、本体部３は、正面壁部３１、背面壁部３２、蓋部３５及び底面部３６が一連となるように一体で構成されている。そして、左側壁部３３及び右側壁部３４が本体部３から着脱可能に構成されている。
本体部３の内壁面には、４つのメッシュポケット部４７，４８が設けられている。この４つのメッシュポケット部４７，４８の各々は、メッシュで形成されている。具体的には、正面壁部３１の内壁面に２つのメッシュポケット部４７が設けられ、また、背面壁部３２の内壁面に２つのメッシュポケット部４８が設けられている。
また、本体部３の蓋部３５の内壁面には、ペン入れ部４９が設けられている。このため、ペン等の筆記具を他の小物と区別してペン入れ部４９に収納することができ、使用者の使い勝手を向上させることができる。
【００２４】
ここで、小物入れ１の本体部３は、左側壁部３３、右側壁部３４及び蓋部３５により正面壁部３１が支持されるように構成されている。そのため、左側壁部３３、右側壁部３４及び蓋部３５の各々に設けられた面ファスナー５１Ａ，５３Ａ，５４Ａによる正面壁部３１の面ファスナー５１Ｂ，５３Ｂ，５４Ｂとの係合状態を解除すると、図７に示すように、正面壁部３１は倒れて、小物入れ１の内部が露出される。すなわち、小物入れ１に収納されている小物をすべて視認することができる。このため、小物入れ１に収納されている小物を確認したい等の場合には、左側壁部３３、右側壁部３４及び蓋部３５を正面壁部３１から切り離すことで速やかに行うことができる。
【００２５】
ところで、小物入れ１の本体部３は、フレーム構造を採用していない。すなわち、本体部３を構成する正面壁部３１、背面壁部３２、左側壁部３３、右側壁部３４および蓋部３５は、ウレタン素材が内蔵されており、これにより面強度を上げている。したがって、フレーム構造を採用しなくても、正面壁部３１等の各構成部材は自ら起立姿勢を保持するものである。
このようにフレーム構造を採用していないので、横臥状態の使用者の近くに小物入れ１を載置しても、小物入れ１が使用者に対して不用意に外力を付与することを防止することができる。
また、本体部３を構成する底面部３６は、段ボール形状のプラスチックシートであるダンプラシートを用いている。また、本体部３は、防水性の高いハイパロン（アメリカデュポン社の商品名）の布で形成されている。
【００２６】
このように、本実施の形態の小物入れ１を用いると、療養者等のベッド生活者が、身を起こさなくても、ベッド６（図１参照）に横臥したままで小物の出し入れを容易に行うことができる。また、ベッド生活者の身の回りの小物を手の届く範囲にまとめて置いておくことができるようになる。
【図面の簡単な説明】
【００２７】
【図１】本実施の形態に係るベッド用小物入れをベッドに取り付けた状態を示す概略斜視図である。
【図２】本実施の形態に係るベッド用小物入れをベッドに取り付けた状態を示す概略斜視図である。
【図３】本実施の形態に係る小物入れを単体で示す斜視図である。
【図４】本実施の形態に係る小物入れの蓋部が開放された状態を示す斜視図である。
【図５】本実施の形態に係る小物入れにおける左側壁部及び右側壁部の開閉状態を説明するための平面図である。
【図６】本実施の形態に係る小物入れの背面側から見た概略斜視図である。
【図７】本実施の形態に係る小物入れの本体部を展開した状態を示す概略斜視図である。
【符号の説明】
【００２８】
１…小物入れ、２…柵取付部、３…本体部、３１…正面壁部、３２…背面壁部、３３…左側壁部、３４…右側壁部、３５…蓋部、３６…底面部、３７…ストッパ部、５２Ａ，５２Ｂ…面ファスナー、６…ベッド
【図１】
0003115991.tif 000003
【図２】
0003115991.tif 000004
【図３】
0003115991.tif 000005
【図４】
0003115991.tif 000006
【図５】
0003115991.tif 000007
【図６】
0003115991.tif 000008
【図７】
0003115991.tif 000009
【手続補正書】
【提出日】平成17年9月14日(2005.9.14)
【手続補正１】
【補正対象書類名】実用新案登録請求の範囲
【補正対象項目名】全文
【補正方法】変更
【補正の内容】
【実用新案登録請求の範囲】
【請求項１】
側面部及び底面部を有し、当該側面部及び当該底面部により収納スペースが形成される本体部と、
ベッドに横臥状態の使用者が使用可能なように前記本体部を当該ベッドに取り付けるための取付部と、
を含み、前記本体部が有する前記側面部の少なくとも一部が開放可能であることを特徴とするベッド用小物入れ。
【請求項２】
前記本体部の開放可能な前記側面部の一部を開放したときに収納スペース内に収納されている小物がすべり出ることを防止するストッパ部を更に含むことを特徴とする請求項１に記載のベッド用小物入れ。
【請求項３】
前記ストッパ部は、前記底面部に設けられ、当該底面部から上方に延びる帯状部材であることを特徴とする請求項２に記載のベッド用小物入れ。
【請求項４】
前記本体部の開放可能な前記側面部の一部は、当該本体部に対して取り外し可能に当該本体部に接続されていることを特徴とする請求項１又は２に記載のベッド用小物入れ。
【請求項５】
前記本体部は、取り付けられるベッドの長手方向に沿って延びる略直方体形状であると共に、当該略直方体形状の両端部の各々が開放可能であることを特徴とする請求項１又は２に記載のベッド用小物入れ。
【請求項６】
略ボックス状の収納スペースを形成するための底面部及び複数の側面部を有する本体部と、
前記本体部をベッドの柵に取り付けるための取付部と、
を含み、前記本体部が有する複数の前記側面部の少なくとも一つが開放可能であることを特徴とするベッド用小物入れ。
【請求項７】
前記本体部に形成される略ボックス状の収納スペースの上方を覆うための開閉可能な蓋部を更に含むことを特徴とする請求項６に記載のベッド用小物入れ。
【請求項８】
前記本体部に回動可能に設けられ、略ボックス状の収納スペースの上方を開閉するための蓋部と、
略ボックス状の収納スペースの上方が開放されるように前記本体部に対して回動した前記蓋部を開放状態に保持する保持手段と、
を更に含むことを特徴とする請求項６に記載のベッド用小物入れ。
【請求項９】
前記保持手段は、前記蓋部及び前記本体部の各々に設けられた、互いに係合可能な面ファスナーであることを特徴とする請求項８に記載のベッド用小物入れ。
【請求項１０】
前記本体部を構成する前記複数の側面部の各々は、自身で姿勢が保持可能であることを特徴とする請求項６〜８のいずれか１項に記載のベッド用小物入れ。
【請求項１１】
側面部及び底面部を有し、当該側面部及び当該底面部により収納スペースが形成される本体部と、
前記本体部をベッドの柵に取り付けるための取付部と、
を含み、前記本体部が有する前記側面部には、ベッドに横臥状態の使用者が当該本体部の収納スペースに手を入れることが可能な開口部が形成されていることを特徴とするベッド用小物入れ。
【請求項１２】
前記本体部の収納スペース内に収納されている小物がすべり出ることを防止するストッパ部を更に含むことを特徴とする請求項１１に記載のベッド用小物入れ。
【請求項１３】
前記本体部が有する前記側面部は、自身で姿勢が保持可能であることを特徴とする請求項１１又は１２に記載のベッド用小物入れ。
【手続補正２】
【補正対象書類名】明細書
【補正対象項目名】０００６
【補正方法】変更
【補正の内容】
【０００６】
他の観点から捉えると、本考案が適用されるベッド用小物入れは、略ボックス状の収納スペースを形成するための底面部及び複数の側面部を有する本体部と、本体部をベッドの柵に取り付けるための取付部と、を含み、本体部が有する複数の側面部の少なくとも一つが開放可能であることを特徴とするものである。
本体部に形成される略ボックス状の収納スペースの上方を覆うための開閉可能な蓋部を更に含むことを特徴とすることができる。また、本体部に回動可能に設けられ、略ボックス状の収納スペースの上方を開閉するための蓋部と、略ボックス状の収納スペースの上方が開放されるように本体部に対して回動した蓋部を開放状態に保持する保持手段と、を更に含むことを特徴とすることができる。この保持手段は、蓋部及び本体部の各々に設けられた、互いに係合可能な面ファスナーであることを特徴とすることができる。
また、本体部を構成する複数の側面部の各々は、自身で姿勢が保持可能であることを特徴とすることができる。
更に本考案を別の観点から捉えると、本考案が適用されるベッド用小物入れは、側面部及び底面部を有し、側面部及び底面部により収納スペースが形成される本体部と、本体部をベッドの柵に取り付けるための取付部と、を含み、本体部が有する側面部には、ベッドに横臥状態の使用者が本体部の収納スペースに手を入れることが可能な開口部が形成されていることを特徴とするものである。